(57)【特許請求の範囲】
【請求項１】
一つまたは複数の単位画像からなる画像情報を蓄積する画像記憶手段と、着脱可能な記憶媒体に画像情報を書き込む書き込み手段と、前記画像記憶手段または記憶媒体に記憶されている画像情報の一覧情報を記憶する一覧情報記憶手段とを備えた画像処理装置において、
前記画像記憶手段に記憶された画像情報のうち前記記憶媒体へ書き込むべき画像情報を選択する選択手段と、前記選択手段により選択された画像情報の前記記憶媒体への書き込み処理実行時、前記書き込み手段による１画像情報の書き込み毎に前記一覧情報記憶手段内の一覧情報を更新し、選択された全ての画像情報の書き込み完了後に前記一覧情報記憶手段内の一覧情報を前記記憶媒体に書き込ませる制御手段とを設け、
前記制御手段は、前記画像記憶手段及び前記記憶媒体に記憶される各画像ファイルの一覧情報である画像ファイルリストデータ、画像データを１単位画像毎に管理するアロケーションデータ、前記単位画像を一つまたは複数まとめて画像ファイルとして管理するためのファイル構成情報、及びその単位画像を構成するブロックの使用状態などを管理するクラスタ情報を作成し、前記画像記憶手段及び前記記憶媒体に記憶される画像データに対応付けて記憶し、前記画像記憶手段に記憶された画像情報の一覧情報と、前記記憶媒体から読み出した一覧情報の何れか一方又は両方を使用して、前記一覧情報記憶手段内の一覧情報を更新することを特徴とする画像処理装置。
【請求項２】
前記書き込み処理の進行状況を表示する表示手段を設けたことを特徴とする請求項１記載の画像処理装置。
【請求項３】
前記表示手段による進行状況の表示は、前記選択手段により選択された全画像情報の量に対する実際に書き込まれた量によるものであることを特徴とする請求項２記載の画像処理装置。
【請求項４】
前記表示手段による進行状況の表示は、現在書き込み中の画像情報に含まれる単位画像数に対する書き込み済みの単位画像数によるものであることを特徴とする請求項２記載の画像処理装置。
【請求項５】
前記表示手段による進行状況の表示は、現在書き込み中の画像情報名によることを特徴とする請求項２記載の画像処理装置。
【請求項６】
前記書き込み手段による書き込み処理実行中に当該書き込み処理の中断を指示する中断指示手段と、前記中断指示手段により中断が指示されたときに書き込み処理中であった単位画像の書き込み完了後に前記書き込み手段による書き込み処理を中断させる書き込み中断手段とを備えたことを特徴とする請求項１乃至請求項５のいずれかに記載の画像処理装置。
【請求項７】
前記書き込み中断手段により画像情報に含まれる全ての単位画像の書き込みが完了する前に書き込みが中断された場合、前記記憶媒体上の当該画像情報を無効化する無効化手段を備えたことを特徴とする請求項６記載の画像処理装置。
【請求項８】
前記制御手段は、前記書き込み中断手段による書き込み中断前に前記記憶媒体への書き込みが完了した画像情報のみによって前記一覧情報を更新し、該一覧情報を前記記憶媒体へ書き込ませることを特徴とする請求項６記載の画像処理装置。
【発明の詳細な説明】
【０００１】
【発明の属する技術分野】
本発明は、デジタル複写機など画像処理装置に係わり、特に、画像記憶手段内に記憶されている複数の画像情報を着脱可能な記憶媒体に書き込むことができる画像処理装置に関する。
【０００２】
【従来の技術】
近年、デジタル複写機では、コピーする原稿画像データを記憶しておく半導体メモリや大容量ハードディスクを内蔵して、複数枚のコピーを実行する際に１回の原稿スキャンでコピーを可能にしたり、ページ順に出力する電子ソートを可能にしたりしている。また、スキャナから読み込んだ画像データや、文字コードを展開した（ビットマップ化した）画像データを大容量ハードディスクに保存しておき、後日、保存された画像データを出力したりするもできる。
さらに、ハードディスク内の画像データをデジタル複写機に着脱可能な記憶媒体へ転送して、複写機内部のハードディスクの画像情報のバックアップや長期保管などを可能にしている。つまり、画像情報を着脱可能な記憶媒体から読み出したり、その記憶媒体に書き込んだりする外部画像記憶装置、および原稿から読み取った画像データや外部画像記憶装置から転送される画像データなどを蓄積しておく内部画像記憶装置を備えておくのである。なお、着脱可能な記憶媒体としては、書き込み可能なＣＤ−Ｒや、書き込み書き換え可能なＣＤ−ＲＷ、さらに大容量のＤＶＤ、データテープなど大容量記憶媒体が使用されている。
例えば、特開昭63-146555号公報に示された画像処理装置は前記のような画像処理装置の一つであり、着脱可能な記憶媒体に画像データの他にコピーに必要な情報や操作手順プログラムを記憶し、操作性の向上を図っている。
また、特開平1-256269号公報に示された画像処理装置では着脱可能な記憶媒体に画像データだけでなくその画像データを記憶した年月日情報を記憶しておき、その画像データを再び紙上に出力する際の画像データ取り出しの高速化を図っている。
また、従来技術では、内部画像記憶装置や着脱可能な記憶媒体など前記のような画像記憶手段を備えた画像処理装置において、１ページまたは複数ページからなる画像データ（例えば一つの文書）を一つの画像ファイルとして画像記憶手段に記憶する。そして、それぞれの画像ファイルにはファイル名など属性情報を付け、登録されている複数の画像ファイルに対応した属性情報から成る画像データ一覧情報を作成し、画像ファイルを取り出す際にはその画像データ一覧情報を表示し、そのなかから所望の画像ファイルを選択させたりして、画像ファイルを画像記憶手段からファイル単位で読み出し、読み出した画像ファイルの画像データを表示させたり、紙上に出力したりする。なお、管理情報の一つとして、それぞれの画像ファイル名（あるいはファイル番号）とその画像ファイルの画像記憶手段における記憶位置とを対応付けた情報を備えている。前記のように、文書名を指定した取り出し要求があったとき、その文書名と同じである画像ファイル名に対応付けられた記憶位置にアクセスしてその画像ファイル名の画像ファイルを読み出すのである。
また、従来技術においては、内部画像記憶装置や着脱可能な記憶媒体など画像記憶手段に画像データを書き込む際に行なわれる画像データ一覧情報の更新や更新した一覧情報を前記記憶媒体に書き込む書き換え処理を一つの画像ファイルをその記憶媒体に書き込む度毎に行なっている。
【０００３】
【発明が解決しようとする課題】
前記のように、従来技術においては、画像データ一覧情報の更新や更新した一覧情報を着脱可能な記憶媒体に書き込む書き換え処理を一つの画像ファイルをその記憶媒体に書き込む度毎に行なっている。しかしながら、着脱可能な記憶媒体として例えばＣＤ-ＲＷなどを用いた場合、記憶媒体内の画像データ一覧情報を一つの画像ファイルを書き込む度毎に行うのは、前記記憶媒体の寿命を短くするということと、処理時間が長くなるということから問題である。
本発明の目的は、このような従来技術の課題を解決し、画像データ一覧情報の更新に伴う着脱可能な記憶媒体の書き換え処理を少なくさせ、それによって、その記憶媒体の寿命を延ばしたり処理時間を短くしたりすることができる画像処理装置を提供することにある。
【０００４】
【課題を解決するための手段】
前記の課題を解決するために、請求項１記載の発明では、一つまたは複数の単位画像からなる画像情報を蓄積する画像記憶手段と、着脱可能な記憶媒体に画像情報を書き込む書き込み手段と、前記画像記憶手段または記憶媒体に記憶されている画像情報の一覧情報を記憶する一覧情報記憶手段とを備えた画像処理装置において、前記画像記憶手段に記憶された画像情報のうち前記記憶媒体へ書き込むべき画像情報を選択する選択手段と、前記選択手段により選択された画像情報の前記記憶媒体への書き込み処理実行時、前記書き込み手段による１画像情報の書き込み毎に前記一覧情報記憶手段内の一覧情報を更新し、選択された全ての画像情報の書き込み完了後に前記一覧情報記憶手段内の一覧情報を前記記憶媒体に書き込ませる制御手段とを設け、前記制御手段は、前記画像記憶手段及び前記記憶媒体に記憶される各画像ファイルの一覧情報である画像ファイルリストデータ、画像データを１単位画像毎に管理するアロケーションデータ、前記単位画像を一つまたは複数まとめて画像ファイルとして管理するためのファイル構成情報、及びその単位画像を構成するブロックの使用状態などを管理するクラスタ情報を作成し、前記画像記憶手段及び前記記憶媒体に記憶される画像データに対応付けて記憶し、前記画像記憶手段に記憶された画像情報の一覧情報と、前記記憶媒体から読み出した一覧情報の何れか一方又は両方を使用して、前記一覧情報記憶手段内の一覧情報を更新することを特徴とする。
また、請求項２記載の発明では、請求項１記載の発明において、前記書き込み処理の進行状況を表示する表示手段を設けた。
また、請求項３記載の発明では、請求項２記載の発明において、前記表示手段による進行状況の表示は、前記選択手段により選択された全画像情報の量に対する実際に書き込まれた量によるものである構成にした。
また、請求項４記載の発明では、請求項２記載の発明において、前記表示手段による進行状況の表示は、現在書き込み中の画像情報に含まれる単位画像数に対する書き込み済みの単位画像数によるものである構成にした。
また、請求項５記載の発明では、請求項２記載の発明において、前記表示手段による進行状況の表示は、現在書き込み中の画像情報名によるものである構成にした。
また、請求項６記載の発明では、請求項１乃至請求項５記載のいずれかの発明において、前記書き込み手段による書き込み処理実行中に当該書き込み処理の中断を指示する中断指示手段と、前記中断指示手段により中断が指示されたときに書き込み処理中であった単位画像の書き込み完了後に前記書き込み手段による書き込み処理を中断させる書き込み中断手段とを備えた。
また、請求項７記載の発明では、請求項６記載の発明において、前記書き込み中断手段により画像情報に含まれる全ての単位画像の書き込みが完了する前に書き込みが中断された場合、前記記憶媒体上の当該画像情報を無効化する無効化手段を備えた。
また、請求項８記載の発明では、請求項６記載の発明において、前記制御手段は、前記書き込み中断手段による書き込み中断前に前記記憶媒体への書き込みが完了した画像情報のみによって前記一覧情報を更新し、該一覧情報を前記記憶媒体へ書き込ませる構成にした。
【０００５】
【発明の実施の形態】
以下、図面により本発明の実施の形態を詳細に説明する。
図１は本発明に係る画像処理装置の実施の形態を例示する概略図である。図示したような構成で、この実施の形態の画像処理装置では、自動原稿送り装置（ＡＤＦ）１の上方にある原稿台２に画像面を上にして原稿束を置き、後述する操作部上のスタートキーを押下すると、給送ローラ３および給送ベルト４により、原稿束の最も下の原稿から順に、原稿がコンタクトガラス６上の所定の位置に給送される。なお、１枚の原稿の給送が完了したときに原稿枚数をカウントアップするカウント機能を有している。
コンタクトガラス６上の原稿の画像が読み取りユニット２０によって読み取られ、読み取りが終了した原稿は給送ベルト４および排送ローラ５によって排出される。さらに、原稿セット検知センサ７により原稿台２に次の原稿があることが検知されると、前の原稿と同様にコンタクトガラス６上に給送される。
また、第１トレイ８、第２トレイ９、および第３トレイ１０に積載された転写紙は、各々第１給紙装置１１、第２給紙装置１２、第３給紙装置１３によって給紙され、縦搬送ユニット１４によって感光体１５に当接する位置まで搬送される。そして、読み取りユニット２０により読み込まれた画像データが書き込みユニット２７からのレーザ光によって感光体１５に書き込まれ、現像ユニット３１を通過することによってトナー像が形成される。さらに、搬送ベルト１６により感光体１５の回転と等速で搬送される転写紙に感光体１５上のトナー像が転写され、その後、定着ユニット１７により画像を定着させ、排紙ユニット１８により後処理装置であるフィニシャ４０に排出される。
フィニッシャ４０は、排出された転写紙を排紙搬送ローラ４２の方向かまたはステープル処理部方向へ導くことができる。切り替え板４１を上方向に切り替えることにより、排紙搬送ローラ４２、４３を経由して排紙トレイ４４側に排紙したり、切り替え板４１を下方向に切り替えることで、搬送ローラ４５，４６を経由して、ステープル台４７に搬送したりするのである。
ステープル台４７に積載された転写紙は、１枚排紙されるごとに紙揃え用のジョガー４８によって、紙端が揃えられ、コピーが１部完了したときにステープラ４９によって綴じられる。そして、ステープラ４９により綴じられた転写紙群が自重によって、ステープル完了排紙トレイ５０に収納される。
なお、通常の排紙トレイ４４は転写紙の搬送方向と直交する方向に移動可能な排紙トレイである。このような排紙トレイ４４が、原稿毎、あるいは自動的にソーティングされたコピー部数毎に直交する方向に移動し、排出されてくる転写紙を仕分ける。
【０００６】
転写紙の両面に作像する場合は、各給紙トレイ８、９、１０から給紙され、作像された転写紙をフィニッシャ４０側に導かないで、経路切り替えのための分岐爪５２を上側にセットすることで、一旦両面給紙ユニット５１にストックする。その後、両面給紙ユニット５１にストックされた転写紙は再び感光体１５に作像されたトナー画像を転写するために、両面給紙ユニット５１から再給紙され、その後は、下側にセットされた経路切り替えのための分岐爪５２により、切り替え板４１の方へ導かれる。
なお、感光体１５、搬送ベルト１６、定着ユニット１７、排紙ユニット１８、現像ユニット３１はメインモータによって駆動され、各給紙装置１１、１２、１３はメインモータの駆動力が給紙クラッチにより伝達されて駆動される。また、縦搬送ユニット１４はメインモータの駆動力が中間クラッチにより伝達されて駆動される。
また、読み取りユニット２０は、原稿を載置するコンタクトガラス６と走査光学系で構成されており、走査光学系は、露光ランプ２１、第１ミラー２２、レンズ２３、ＣＣＤイメージセンサ２４などから構成されている。露光ランプ２１、第１ミラー２２、第２ミラー２５および第３ミラー２６は図示しないキャリッジ上に固定されている。この走査光学系は、図示しないスキャナ駆動モータにより駆動される。原稿画像は、ＣＣＤイメージセンサ２４によって読み取られ、電気信号に変換されて処理される。
書き込みユニット２７はレーザ出力ユニット２８、結像レンズ２９、ミラー３０から構成され、レーザ出力ユニット２８の内部には、レーザ光源であるレーザダイオードおよびモータによって高速で定速回転する多角形ミラー（ポリゴンミラー）が備わっている。
書き込みユニット２７からはレーザ光が出力され、そのレーザ光は画像作像系の感光体１５に照射される。図示しないが感光体１５の一端近傍のレーザビームを照射される位置には、主走査同期信号を発生するビームセンサが配置されている。
【０００７】
図２に、操作部６０の構成を示す。図示したように、操作部６０には、液晶タッチパネル６１、テンキー６２、クリア／ストップキー６３、スタートキー６４、予熱キー６５、リセットキー６６、初期設定キー６７、コピーキー６８、コピーサーバーキー６９、文書管理キー７６、プリンタキー７７があり、液晶タッチパネル６１には、機能キー、部数、および画像処理装置の状態を示すメッセージなどが表示される。
このように構成された操作部６０内のコピーキー６８を押すことでコピー処理の内容を設定し、スタートキー６４を押すことで原稿画像のコピーを行うことができる。また、コピーサーバーキー６９は原稿画像を読み取って内部画像記憶装置に画像データを蓄積したり、蓄積されている画像データを印刷したりする際に用いる。また、文書管理キー７６は例えば内部画像記憶装置に蓄積されている画像データなどを編集したりするときに用いる。また、初期設定キー６７を押すことで、画像処理装置の初期状態を任意にカスタマイズすることができる。また、画像処理装置内に収納している用紙サイズを設定したり、コピー機能のモードクリアキーを押したときに設定される状態を任意に設定したり、一定時間操作がないときに優先して選択されるアプリケーションなどを設定したり、国際エネルギースター計画に従った低電力状態への移行時間を設定したり、オートオフ／スリープモードへ移行する時間を設定したりすることもできる。
また、予熱キー６５を押すと、画像処理装置は待機状態から低電力状態に移行し、定着温度を低下させたり、操作部６０の表示を消灯させたりする。
図３に、操作部６０の液晶タッチパネル６１の表示例を示す。これは文書管理キー７６を押下したときに表示される表示例である。このような表示状態のときに利用者が液晶タッチパネル６１に表示されたキーにタッチすると、そのキーの示す機能が選択され、そのキーが黒く反転する。また、機能の詳細を指定しなければならない場合（例えば文書名を変更するような場合）は、所定のキーにタッチすることで、詳細機能の設定画面が表示される。液晶タッチパネル６１は、ドット表示器を使用しているため、前記のように、そのときの状況に合った適切な表示をグラフィカルに行うことができるのである。
【０００８】
前記したように、図３に示す表示画面は、図２に示した文書管理キー７６を押下したときに液晶タッチパネル６１に表示された表示例であり、例えば、表示領域には、既に内部画像記憶部に蓄積されている画像ファイルを特定するための画像ファイル属性情報として、文書名、ユーザＩＤ（ユーザ識別符号）、蓄積時刻、ページ数、サイズ（データ量）が表示される。ユーザＩＤはこの画像処理装置に接続されたパーソナルコンピュータのプリンタドライバにおいて付けられるため、プリンタ機能によった画像蓄積の場合にのみ表示される。文書名は画像蓄積を行う毎に付けられる。ページ数は蓄積した原稿画像の枚数である。蓄積時刻は画像データが蓄積されたときの時刻である。なお、表示されている画像管理情報は、不揮発メモリＮＶ−ＲＡＭに保持されており、電源断時でもその画像管理情報は保持され続ける。また、図３に示したように、この表示画面には、文書名変更、文書結合、文書の挿入、ページ削除、画像情報（文書）一覧情報を構成している個々の一覧情報の削除（つまり、個々の画像ファイルの削除）などのキーが表示されていて、これらを指示することによりこれらの機能を用いることができる。また、着脱可能な記憶媒体の残量も表示される。
図４に、メインコントローラ７０などから成る制御装置の機能ブロック図を示す。図示されているメインコントローラ７０は画像処理装置全体を制御する。このメインコントローラ７０には、利用者に示す表示や利用者からの機能設定入力を制御する操作部６０、スキャナの制御、原稿画像データを画像メモリに書き込む制御、画像メモリに記憶された画像データを用いて作像制御などを行う画像処理ユニット（ＩＰＵ）８０、原稿自動送り装置（ＡＤＦ）１などが接続されている。また、紙搬送などに必要なメインモータ３２、各種クラッチ３４、３５、３６、３７も接続されている。
図５はメインコントローラ７０の要部の構成を示す機能ブロック図である。図示したように、このメインコントローラ７０は、ＣＰＵ７１、そのＣＰＵ７１の実行するプログラムを記憶しているＲＯＭ７２、各種データを記憶するＲＡＭ７３などを備えている。プログラムは一部をＲＯＭ７２に記憶し、他はハードディスク装置からＲＡＭ７３にロードするようにしてもよい。
【０００９】
図６は画像処理ユニット（ＩＰＵ）８０などの構成ブロック図である。このような構成で、画像処理ユニット８０は露光ランプ２１から照射された光の反射光をＣＣＤイメージセンサ２４により光電変換し、Ａ／Ｄコンバータ８１によりデジタル信号に変換する。デジタル信号に変換された画像データは、シェーディング補正部８２によりシェーディング補正された後、ＭＴＦ・γ補正部８３によりＭＴＦ補正、γ補正などを施される。そして、変倍処理部８４を経由した画像データが変倍率に合わせて拡大または縮小され、セレクタ８５に流れる。セレクタ８５では、画像データの送り先を、書き込みγ補正ユニット８９または画像メモリコントローラ８６へ切り替える。書き込みγ補正ユニット８９を経由した画像データは作像条件に合わせて書き込みγが補正され、書き込みユニット２７に送られる。
画像メモリコントローラ８６とセレクタ８５との間は、双方向に画像データを入出力可能な構成となっている。また、画像メモリコントローラ８６などへの設定や、読み取りユニット２０および書き込みユニット２７の制御を行うＣＰＵ８８、およびそのプログラムやデータを格納するＲＯＭ９０、ＲＡＭ９１、ＮＶ−ＲＡＭ９２を備えている。ＣＰＵ８８は、画像メモリコントローラ８６を介して、画像メモリ８７のデータの書き込み、読み出しが行える。
画像メモリコントローラ８６へ送られた画像データは、画像メモリコントローラ８６内にある画像圧縮装置によって圧縮され、画像メモリ８７へ送られる。最大画像サイズ分の２５６階調のデータを圧縮せずにそのまま画像メモリ８７に書き込むことも可能であるが、この実施の形態で画像データを圧縮する理由は、画像圧縮を行うことで限られた画像メモリを有効に利用できるからである。また、一度に多くの原稿画像データを記憶することができるため、例えばソート機能を用いる際、この画像メモリ８７を用いて原稿画像データをページ順に出力することができる。なお、この場合、画像メモリ８７内の画像データを画像メモリコントローラ８６内の伸長装置で順次伸長しながら出力する。
また、画像メモリ８７を利用して、複数枚の原稿画像データを、画像メモリ８７の転写紙１枚分のエリアを分割したエリアに順次読み込むことも可能となる。例えば４枚の原稿画像を、画像メモリ８７の転写紙１枚分の４等分されたエリアに順次書き込むことで、４枚の原稿が１枚の転写紙イメージに合成され集約されたコピー出力を得ることが可能となる。このような機能は一般に「集約コピー」と呼ばれている。
画像メモリ８７内の画像データはＣＰＵ８８からアクセス可能な構成となっている。このため、画像メモリ８７内の画像データの内容を加工することが可能であり、例えば画像データの間引き処理、画像の切り出し処理などを行える。加工の際は、画像メモリコントローラ８６内のレジスタに制御データを書き込むことで画像データを処理する。また、加工された画像データは再度画像メモリ８７に保持される。
【００１０】
画像メモリ８７は、処理される画像データの大きさにより複数のエリアに分割して画像データの入出力を同時に実行可能な構成をとっている。分割された各エリアに対して画像データの入力および出力をそれぞれ並列に実行可能にするため、画像メモリコントローラ８６とのインタフェースにはリード用とライト用の２組のアドレス・データ線が接続されている。これにより、エリア１に画像データを入力（ライト）する間にエリア２より画像データを出力（リード）するという動作が可能になる。
また、画像メモリ８７の画像データをＣＰＵ８８が読み出し、Ｉ／Ｏポート９３を経て、操作部６０へ転送することが可能な構成となっている。なお、一般に操作部６０の画面表示解像度は低いため、画像メモリ８７の原画像データは画像間引きを施されて操作部６０へ送られる。
画像メモリ８７には大量の画像データが記憶されるので、記憶容量上の理由からハードディスク装置９４を別に設けることもある。ハードディスク装置９４を用いることにより、電源が切断されても永久的に画像データを保持できる特徴もある。なお、ハードディスク装置９４を備えた構成では、画像メモリ８７とハードディスク装置９４が画像記憶手段である内部画像記憶装置を構成し、ハードディスク装置９４を備えない構成では画像メモリ８７が内部画像記憶装置となる。複数の定型の原稿（フォーマット原稿）をスキャナで読み込み保持するためには、このハードディスク装置９４を用いるのが一般的である。
また、外部画像記憶手段として、ＣＤ−Ｒ、ＣＤ−ＲＷ、より記憶容量の大きいＤＶＤなど着脱可能な記憶媒体を有した外部画像記憶装置９５を備えている。外部画像記憶装置９５はＳＣＳＩコントローラ９６によってバスを制御され、画像データの書き込み、読み出しを実行する。その書き込み、読み出しに際しては、作像やスキャナからの画像読み出しの処理速度との差を吸収するために、画像メモリ８７に一旦記憶される。つまり、外部画像記憶装置９５にスキャナからの画像データを書き込む場合、必ず画像メモリ８７を経由して書き込むことになる。また、外部画像記憶装置９５からの画像データを書き込みユニット２７に送る際は、画像メモリ８７に一旦記憶してから書き込みユニット２７に送ることになる。
画像データを記憶する画像メモリ８７、ハードディスク装置９４、外部画像記憶装置９５対しての画像データの読み書き、スキャナ（読み取りユニット２０など）からの画像データ入力、書き込みユニット２７に送る画像データの出力は全て画像メモリコントローラ８６によって画像パスを決められる。画像パスの入出力の組み合わせの一例を図８に示す。ＣＰＵ８８が画像データの入力源、出力先を決めることで、ＣＰＵ８８に接続された画像メモリコントローラ８６が画像データの流れを切り替えることができるのである。
【００１１】
ここで、図７を用いて、セレクタ８５における１ページ分の画像データの転送タイミングを説明する。
図７において、／ＦＧＡＴＥは、１ページの画像データの副走査方向の有効期間を表している。／ＬＳＹＮＣは、１ライン毎の主走査同期信号であり、この信号が立ち上がった後の所定クロックで画像データが有効となる。主走査方向の画像データが有効であることを示す信号が／ＬＧＡＴＥである。これらの信号は画素クロックＶＣＬＫに同期しており、ＶＣＬＫの１周期に対し１画素８ビット（256階調）のデータが送られてくる。この実施の形態では、転写紙への書込密度400dpi、最大画素数は、主走査方向が4800画素、副走査方向が6800画素である。また、この実施の形態では、画像データは255に近いほど白画像になるとする。図９は、この画像処理装置のアプリケーションの一つとして搭載されているコピーアプリケーション（原稿画像のコピー）の操作画面の一例を示したものである。コピーアプリケーションに関しては既知のものであるので詳細な説明は省略する。
図１０はこの画像処理装置のシステム構成図である。図示したように、内部画像記憶装置に蓄積された画像データを処理する手段はハードウエアとソフトウエアから成るコピーサーバーアプリケーション処理部（図１０には、省略してコピーサーバーアプリと記載）として存在し、同様にハードウエアとソフトウエアから成るコピーアプリケーション処理部（図１０には、省略してコピーアプリと記載）、プリンタアプリケーション処理部（図１０には、省略してプリンタアプリと記載）、文書管理アプリケーション処理部（図１０には、省略して文書管理アプリと記載）と同レベルの起動対象として起動させることができ、それぞれが独立した動作をするものとする。共有資源である操作部６０（図２参照）とそれを制御する操作部コントローラ、周辺機（例えばＡＤＦ１など）とそれを制御する周辺機コントローラ、画像形成装置（例えば、書き込みユニット２７など）とそれを制御する画像形成装置コントローラ、画像読取装置（例えば読み取りユニット２０など）とそれを制御する画像読取装置コントローラ、メモリユニットはシステムコントローラにより調停される。なお、これらの各コントローラはメインコントローラ７０およびＩＰＵ８０により実現される。
各アプリケーション処理部は、操作部コントローラが提供する仮想画面領域（実画面に対応したメモリ領域）にそれぞれの操作画面情報を書き込むことが可能である。操作部コントローラはシステムコントローラから指示された仮想画面領域の操作画面情報を実画面に展開・表示するのである。また、外部画像記憶装置９５を外部に設ける場合、図５に示したＳＣＳＩコントローラ９６の接続ポートに外部画像記憶装置９５を接続し、その外部画像記憶装置９５の制御をＳＣＳＩコントローラ９６により行う。
【００１２】
ここで、図３に戻り、文書管理キー７６を押したときに表示される液晶タッチパネル６１の画面について詳述する。
前記においても少し触れたが、この画面上では内部画像記憶装置であるハードディスク装置９４および外部画像記憶装置９５に装着された記憶媒体に蓄積された画像データに係わる各種機能を利用することができる。内部蓄積文書キー１０１が黒色に反転しているのはハードディスク装置９４内に蓄積されている画像データについて各種編集操作が可能であることを示している。また、外部蓄積文書キー１０２を押下すると液晶タッチパネル６１には図１１に示すような画面が表示される。この画面上では、装着された記憶媒体内に蓄積された画像データについて各種編集操作が可能である。
図３に示したように、内部蓄積文書キー１０１を押した場合の表示領域１０６には、ハードディスク装置９４内に蓄積された各画像データなどから成る各画像ファイルの属性情報（画像ファイルリストデータ）が表示されている。画像ファイルを特定するための画像ファイルの属性情報の一覧情報として、文書名（内部では画像ファイル名として管理している）、ユーザＩＤ、蓄積時刻、ページ数、画像データサイズなどが表示されるのである。なお、文書名は画像ファイルを蓄積する毎に付けられる。ページ数は蓄積した原稿画像の枚数である。蓄積時刻は画像ファイルが蓄積された時の時刻（月日時分）を表す。なお、図示の例では８個の画像ファイルの属性情報（画像ファイルリストデータ）のみ表示されているが、「前へ」キーまたは「後へ」キー１０７を押下することにより他の画像ファイルの属性情報が表示可能である。
表示領域１０９のページ数とは、全画像ファイルの属性情報（画像ファイルリストデータ，一覧情報全体）が何ページ分あって、そのうち現在表示中の８個の画像ファイルの属性情報が何ページであるかを表す。図３の例では、全画像ファイルの画像ファイルリストデータは１２ページ分あり現在表示中の８個の画像ファイルリストデータが３ページ目であることを表している。表示領域１０５の各項目を押下すると表示領域１０６の一覧情報が該項目に従ってソートされる。図３の例では蓄積時刻降順ソートになっている。なお、一覧情報を対象とした検索機能は、検索キー１０３を押下することにより利用可能である。
【００１３】
表示領域１０６に表示されている画像ファイルリストから特定の画像ファイルの行を押下すると、その画像ファイルの行が黒色に反転する。これを選択状態と呼ぶ。複数の画像ファイルの画像ファイルリストデータを選択状態として指定可能であり、選択文書表示キー１０４を押下すると、表示領域１０６には選択状態の画像ファイルリストデータのみ表示される。また、表示領域１０８はハードディスク装置９４の総容量および残容量を、表示領域１１６は外部画像記憶装置９５内の記憶媒体の総容量および残容量をＭＢ（メガバイト）を単位として表している。
蓄積されている画像データに対する編集機能としては、文書名変更機能、文書結合機能、文書挿入機能、ページ削除機能、文書消去機能がある。これらの諸機能は、文書編集キー１１１〜１１５を押下することにより使用可能である。
また、画像ファイルリスト中の任意の画像ファイルの行を選択状態にして文書移動キー１１７を押下すると、選択状態の画像ファイルの画像データおよび画像ファイルリストデータは外部画像記憶装置９５内の記憶媒体に蓄積される。このとき、その記憶媒体内に蓄積されている画像ファイルの画像ファイルリストデータが更新され、その記憶媒体に記憶される。なお、これらの動作には数秒の処理時間が必要とされるため、液晶タッチパネル６１には、図１２に示すように書き込み処理の進行状況を示す画面が表示される。書き込み中の文書名１２１や表示領域１２２、表示領域１２３に示すような内容を表示するのである。なお、表示領域１２２は書き込む全画像ファイル（各文書名に対応している）数に対して何番目の画像ファイルを書き込んでいるかを示しており、表示領域１２３は書き込み中の画像ファイルの全ページ数に対する書き込み済みページ数を示している。また、このときに外部蓄積文書キー１０２を押下すると、液晶タッチパネル６１には図１３に示すようにこのときの処理により更新された画像ファイルの画像ファイルリストデータが追加される。
また、この実施の形態では、メインコントローラ７０が、内部画像記憶装置や着脱可能な記憶媒体など画像記憶手段に記憶される各画像ファイルの一覧情報である画像ファイルリストデータ、画像データを１単位画像（例えば１ページ、以下同様）毎に管理するアロケーションデータ（ＦＡＴ）、単位画像を一つまたは複数まとめて画像ファイルとして管理するためのファイル構成情報、およびその単位画像を構成するブロック（クラスタ）の使用状態などを管理するクラスタ情報を作成し、着脱可能な記憶媒体など画像記憶手段に記憶される画像データに対応付けて記憶する。
【００１４】
図１４に、メインコントローラ７０が作成した画像ファイルリストデータ、アロケーションデータ（ＦＡＴ）、クラスタ情報、およびファイル構成情報を含む情報群のデータ構成を示す。このような情報群がハードディスク装置９４や外部画像記憶装置９５内の記憶媒体に記憶されるのである。
図１４に示したように、最初の領域には画像ファイルリストデータが記憶され、ここには、図１５に示すように、各画像ファイルに対応する各レコード（各行）の情報として、文書名（ファイル名）、ユーザ識別符号（ユーザＩＤ）、蓄積時刻など図３に示した表示領域１０６に表示させる各情報および各画像ファイルに付与したファイル番号を記憶する。
また、図１６に、アロケーションデータの構成を示す。図示したように、一つのレコード（図示の１行）は画像ファイルを構成している各単位画像に付与される画像番号、その単位画像の画像データが記憶されている最初のブロック（クラスタ）の画像スタートアドレス（アドレスとは全体の記憶領域を等サイズに細分化した各記憶領域に配列順に付与した一連番号である）、各画像単位のブロック数である画像サイズ情報から成る。
【００１５】
アロケーションデータに続く領域には図１７に示すようなクラスタ情報が記憶される。図示したように、各レコードは使用中／空きを示す情報とその画像番号の単位画像用に付与された次のブロックのアドレスからなる。なお、単位画像用に付与された次のブロックがなければ例えば「ＥＮＤ」と書き込む。なお、図１７に示した例では連続したブロックが付与されているが、空きブロックは連続しているとは限らないので、付与されるブロックが飛ぶ場合もある。また、図１７に示した左側の番号はブロック番号である。また、「使用中」とはそのブロックに有効な画像データが記憶されているということで、例えば「使用中」であれば「１」、「空き」状態であれば「０」と設定する。なお、最終ブロックに「ＥＮＤ」と書き込む代わりに、実際には存在しないアドレス値（例えば99999のような）を記録しておき、それを最終ブロックとみなすようにしてもよい。また、使用中か空きかを示すデータ領域を設ける代わりに、次ブロックアドレスを示す領域に実際には存在しないアドレス値（例えば88888のような）を記録しておき、そのような値が記録されているブロックは「空き」状態であるとみなすようにしてもよい。
次の領域には、図１８に示すようなファイル構成情報が記憶される。図示したように、各画像ファイルに対応した各レコードには、画像ファイルを構成する単位画像が１ページの画像である場合には、各ページに付与された画像番号がページ順に記憶される。なお、この領域には例えば印刷時に用いる情報など図３に示した画面に表示されないファイル属性情報なども記憶される。
次は画像ファイル領域で、ここには複数の画像ファイルの画像データが記憶される。画像ファイルを構成する単位画像が１ページの画像である場合は、最初が１ページ目の画像データ、次が２ページ目の画像データというように記憶する。但し、これらが記憶される領域は必ずしも連続しているわけではない。画像データ格納時、クラスタ情報を参照して空いている複数のブロックを取得し、取得したブロックの配列順に順次記憶するのである。したがって、取得したブロックが飛んでいれば１ファイルの画像データの記憶領域は不連続になる。１ページの画像データが１ブロックに収まらなければ１ページの画像データが不連続になる場合もある。
【００１６】
次に、図１９に示した動作フローに従って、外部画像記憶装置９５に着脱可能な記憶媒体を装着し、その記憶媒体にハードディスク装置９４内の複数の画像ファイルの画像データなどを書き込む第１の実施の形態の動作を説明する。なお、記憶媒体には既にいくつかの画像ファイルが記憶されているものとする。
まず、利用者が操作部６０内の文書管理キー７６を押す。そうすると、メインコントローラ７０がそれを認識し、ハードディスク装置９４内に記憶されている画像ファイルリストデータ、アロケーションデータ、クラスタ情報、ファイル構成情報などを読み出し、図３に示したような画面を表示させる。そして、この状態で液晶タッチパネル６１のキー１１１、１１７などが押下されると、図１９のフローチャートに示した処理が呼び出され実行される。なお、画像ファイルが一つも選択されていない状態では、選択文書表示キー１０４，文書名変更キー１１１，文書結合キー１１２，文書を挿入キー１１３，ページ削除キー１１４，リストから削除キー１１５，文書移動キー１１７は半輝度で表示され、押下できないようになっている。したがって、この状態でこれらのキーが押されても図１９の処理が呼び出されることはない。
表示領域１０６に表示されている画像ファイルリストから画像ファイルが選択されると（Ｓ１でＹｅｓ）、メインコントローラ７０はそれを認識して選択された画像ファイルに対応する行を白黒反転表示させた選択状態にする（Ｓ２）。
画像ファイルの選択ではなく（Ｓ１でＮｏ）文書移動キー８７の押下であった場合は（Ｓ３でＹｅｓ）、ＩＰＵ８０を介して外部画像記憶装置９５に装着された記憶媒体から画像ファイルリストデータ、アロケーションデータ、クラスタ情報、ファイル構成情報などを読み出させ、それらを取得する。
続いて、メインコントローラ７０はハードディスク装置９４から取得した画像ファイルリストデータから最初に記憶媒体に書き込む画像ファイルのファイル番号を取得し、そのファイル番号に対応付けられた画像番号を読み出されているハードディスク装置９４のファイル構成情報から取得し、各画像番号に対応付けられた画像サイズを読み出されているハードディスク装置９４のアロケーションデータ中から取得して必要な総ブロック数を求める。そして、記憶媒体から読み出されているクラスタ情報を参照して最初にその記憶媒体に書き込む画像ファイルの画像データ用の空き領域を総ブロック数分だけ取得し、取得した各ブロックのアドレスをブロック番号から求める（各ブロックのサイズは等しいので算出が可能）。さらに、メインコントローラ７０は読み出されている記憶媒体のアロケーションデータを参照して、用いられていない画像番号（画像スタートアドレスや画像サイズが空白の画像番号）を処理中の画像ファイルのページ数分だけ取得し（単位画像が１ページの場合）、ブロックの配列順に最初のブロックのアドレスをその画像ファイルの１ページ目の画像番号に対応付けて書き込む。
【００１７】
また、ハードディスク装置９４のアロケーションデータから取得した画像サイズを画像番号に対応付けて書き込む。また、最初のブロックを使用中に更新し、そのブロックの次のブロックアドレスとして取得した２番目のブロックのアドレスを書き込む。同様にして、処理中の画像ファイルの後続ページについても記憶媒体用のアロケーションデータおよびクラスタ情報の更新を行う。そして、最初の画像ファイルの画像データをＩＰＵ８０に渡し、記憶媒体内の取得したブロックに画像データを書き込ませる（Ｓ４）。
さらに、メインコントローラ７０は取得した画像番号を記憶媒体用のファイル構成情報中に書き込み、読み出されている記憶媒体用の画像ファイルリストデータに最初の画像ファイル分を追加して画像ファイルリストデータを更新する（Ｓ５）。最初の画像ファイル分を読み出されているハードディスク装置９４の画像ファイルリストデータから記憶媒体用の画像ファイルリストデータ中に移すのである。また、メインコントローラ７０はハードディスク装置９４用のクラスタ情報中の移した画像ファイルに対応したブロックを「空き」状態にする。
続いて、メインコントローラ７０は利用者により選択されたすべての画像ファイルについて記憶媒体への画像データなどの書き込みが終了したか否かを判定し（Ｓ６）、終了していなければ（Ｓ６でＮｏ）次の画像ファイルについてステップＳ４から繰り返す。そして、すべての画像ファイルについて書き込みが終了したと判定されたならば（Ｓ６でＹｅｓ）、更新された記憶媒体用の画像ファイルリストデータ、アロケーションデータ、クラスタ情報、およびファイル構成情報をＩＰＵ８０に渡し、記憶媒体中の対応する領域のデータを書き替えさせる（Ｓ７）。同様に、更新されたハードディスク用の画像ファイルリストデータ、アロケーションデータ、クラスタ情報、およびファイル構成情報をＩＰＵ８０に渡し、ハードディスク装置９４中の対応する領域のデータを書き替えさせる。
なお、ステップＳ３において文書移動キー１１７が選択されなかった場合には、この動作フローを抜け、押下された各キーに対応した処理が行われる。
こうして、この実施の形態によれば、画像ファイル一覧情報（画像ファイルリストデータ）などの更新に伴う着脱可能な記憶媒体の書き換え処理を少なくさせ、それによって、着脱可能な記憶媒体の寿命を延ばしたり処理時間を短くしたりすることができる。
【００１８】
本発明の第２の実施の形態では、第１の実施の形態で示した記憶媒体への書き込み処理中、メインコントローラ７０は書き込み処理の進行状況を示す情報を表示させる。以下、図２０に示した動作フローに従って、第２の実施の形態の動作を説明する。なお、記憶媒体には既にいくつかの画像ファイルが記憶されているものとする。
まず、利用者が操作部６０内の文書管理キー７６を押す。そうすると、メインコントローラ７０がそれを認識し、第１の実施の形態と同様にして図３に示したような画面を表示させる。そして、この状態で液晶タッチパネル６１のキー１１１、１１７などが押下されると、図２０のフローチャートに示した処理が呼び出され実行される。なお、画像ファイルが一つも選択されていない状態では、選択文書表示キー１０４，文書名変更キー１１１，文書結合キー１１２，文書を挿入キー１１３，ページ削除キー１１４，リストから削除キー１１５，文書移動キー１１７は半輝度で表示され、押下できないようになっている。したがって、この状態でこれらのキーが押されても図２０の処理が呼び出されることはない。
表示領域１０６に表示されている画像ファイルリストから画像ファイルが選択されると（Ｓ１１でＹｅｓ）、メインコントローラ７０はそれを認識して選択された画像ファイルに対応する行を白黒反転表示させた選択状態にする（Ｓ１２）。画像ファイルの選択ではなく（Ｓ１１でＮｏ）文書移動キー８７の押下であった場合は（Ｓ１３でＹｅｓ）、ＩＰＵ８０を介して外部画像記憶装置９５に装着された記憶媒体から画像ファイルリストデータ、アロケーションデータ、クラスタ情報、ファイル構成情報などを読み出させ、それらを取得する。
続いて、メインコントローラ７０は書き込み処理進行状況を例えば図１２に示したように表示させると共に（Ｓ１４）、第１の実施の形態と同様にして最初の画像ファイルの画像データをＩＰＵ８０に渡し、記憶媒体内の取得したブロックに画像データを書き込ませる（Ｓ１５）。また、第１の実施の形態と同様にして、記憶媒体およびハードディスク装置９４用の画像ファイルリストデータ、アロケーションデータ、クラスタ情報、およびファイル構成情報を更新する（Ｓ１５）。なお、進行状況表示では、例えば図１２に示したように、全文書ｎ個中のｍ番目の画像ファイルを書き込み中とか、書き込み中の文書名を表示させたりする。
【００１９】
続いて、メインコントローラ７０は利用者により選択されたすべての画像ファイルについて記憶媒体への画像データなどの書き込みが終了したか否かを判定し（Ｓ１６）、終了していなければ（Ｓ１６でＮｏ）次の画像ファイルについてステップＳ１４から繰り返す。そして、すべての画像ファイルについて書き込みが終了したと判定されたならば（Ｓ１６でＹｅｓ）、更新された記憶媒体用の画像ファイルリストデータ、アロケーションデータ、クラスタ情報、およびファイル構成情報をＩＰＵ８０に渡し、憶媒体中の対応する領域のデータを書き替えさせる（Ｓ１７）。同様に、更新されたハードディスク用の画像ファイルリストデータ、アロケーションデータ、クラスタ情報、およびファイル構成情報をＩＰＵ８０に渡し、ハードディスク装置９４中の対応する領域のデータを書き替えさせる。そして、書き込み処理進行状況の表示を閉じ、他の画面を表示させ（Ｓ１８）、この動作フローを終わりにする。
なお、ステップＳ１３において文書移動キー１１７が選択されなかった場合には、この動作フローを抜け、押下された各キーに対応した処理が行われる。
また、書き込み処理進行状況表示の表示内容としては、前記表示内容の代わりに、そのジョブで利用者により指示された書き込み処理の全書き込み量（データ量，例えばメガバイトを単位とする）に対する書き込み済み量にしてもよいし、着脱可能な記憶媒体の用いることができる全記憶容量に対する書き込み済み量にしてもよいし、現在書き込み中の画像ファイルに含まれる単位画像数（例えばページ数）に対する書き込み済みの単位画像数にしてもよいし、全ページ数ｎ中のｍ番目のページを書き込み中というようにしてもよい。また、書き込み中の画像データがｍ番目の文書とかｍ番目のページとか表示する代わりに、書き込み済み文書数とか書き込み済みページ数を表示してもよい。なお、全書き込み量は図３に示した画像ファイルリストデータ中のサイズ情報を合計して求める。
また、書き込み済み量は例えば一つの画像ファイルの書き込みが終了する度毎に終了した画像ファイルのサイズ情報をそれまでに書き込みを終了している画像ファイルのサイズ情報の合計に加えることにより求める。また、書き込み済みの単位画像数（例えばページ数）については、書きこみを制御しているＩＰＵ８０が１単位画像書きこみ終了毎にその旨をメインコントローラ７０に通知し、メインコントローラ７０がそれに従って書き込み済みの単位画像数を計数するようにすればよい。
こうして、この実施の形態によれば、画像ファイル一覧情報（画像ファイルリストデータ）の更新に伴う着脱可能な記憶媒体の書き換え処理を少なくさせ、それによって、着脱可能な記憶媒体の寿命を延ばしたり処理時間を短くしたりすることができるだけでなく、利用者は書き込み処理の進行状況がわかるので複数の画像ファイルの書き込みのために長い時間を要しても、待たされ感を少なくすることができるし、終了時刻を予測することもできる。
【００２０】
本発明の第３の実施の形態では、第１または第２の実施の形態で示した記憶媒体への書き込み処理中、書き込み処理を中断させることができる。以下、図２１に示した動作フローに従って、第３の実施の形態の動作を説明する。
まず、利用者が操作部６０内の文書管理キー７６を押す。そうすると、メインコントローラ７０がそれを認識し、第１の実施の形態と同様にして図３に示したような画面を表示させる。そして、この状態で液晶タッチパネル６１のキー１１１、１１７などが押下されると、図２１のフローチャートに示した処理が呼び出され実行される。なお、画像ファイルが一つも選択されていない状態では、選択文書表示キー１０４，文書名変更キー１１１，文書結合キー１１２，文書を挿入キー１１３，ページ削除キー１１４，リストから削除キー１１５，文書移動キー１１７は半輝度で表示され、押下できないようになっている。したがって、この状態でこれらのキーが押されても図１９の処理が呼び出されることはない。
表示領域１０６に表示されている画像ファイルリストから画像ファイルが選択されると（Ｓ２１でＹｅｓ）、メインコントローラ７０はそれを認識して選択された画像ファイルに対応する行を白黒反転表示させた選択状態にする（Ｓ２２）。画像ファイルの選択ではなく（Ｓ２１でＮｏ）文書移動キー８７の押下であった場合は（Ｓ２３でＹｅｓ）、ＩＰＵ８０を介して外部画像記憶装置９５に装着された記憶媒体から画像ファイルリストデータ、アロケーションデータ、クラスタ情報、ファイル構成情報などを読み出させ、それらを取得する。
続いて、メインコントローラ７０は書き込み処理進行状況を例えば図１２に示したように表示させると共に（Ｓ２４）、第１の実施の形態と同様にして最初の画像ファイルの画像データをＩＰＵ８０に渡し、記憶媒体内の取得したブロックに画像データを書き込ませる（Ｓ２５）。
【００２１】
さらに、メインコントローラ７０はこの書き込み処理中に転送中止キー１２４（図１２参照）が指示されたか否かを監視し（Ｓ２６）、指示されたと判定されたならば（Ｓ２６でＹｅｓ）、書き込み中のページを最後まで書き込ませた後（Ｓ２７）、途中のページまで記憶媒体に書き込んだ画像ファイルの画像データなどを無効化する処理を行う（Ｓ２８）。例えば、記憶媒体のクラスタ情報中に設定される画像ファイル用に確保した記憶媒体中のブロックに既に「使用中」を示す情報を設定していれば、「空き」状態に戻す。あるいは、まだ設定していないならば設定しないままにする。また、処理中の画像ファイル用に付与した画像番号も未使用状態にする（つまり、アロケーションデータ中の付与した画像番号に対応した画像スタートアドレスや画像サイズ情報をクリアする）。また、この画像ファイル分については画像ファイルリストデータに追加しないままにする。これにより、記憶媒体に途中のページまで書き込まれた画像ファイルの画像データなどは確保したブロック（記憶領域）に書き込まれていないものとして扱われる。
続いて、メインコントローラ７０は前記のような更新された記憶媒体用の画像ファイルリストデータ、アロケーションデータ、クラスタ情報、およびファイル構成情報をＩＰＵ８０に渡し、記憶媒体中の対応する領域のデータを書き替えさせる（Ｓ２９）。同様に、更新されたハードディスク用の画像ファイルリストデータ、アロケーションデータ、クラスタ情報、およびファイル構成情報をＩＰＵ８０に渡し、ハードディスク装置９４中の対応する領域のデータを書き替えさせる。そして、書き込み処理進行状況の表示を閉じ、他の画面を表示させ（Ｓ３０）、この動作フローを終わりにする。
それに対して、ステップＳ２６において転送中止キー１２４の指示がないまま処理中の画像ファイルの画像データの書き込みが終了すると（Ｓ２６でＮｏ）、メインコントローラ７０は読み出されている記憶媒体の画像ファイルリストデータにその画像ファイルの画像ファイルリストデータ（属性情報）を追加して画像ファイルリストデータを更新する（Ｓ３１）。また、アロケーションデータ、クラスタ情報、ファイル構成情報なども更新する。
続いて、メインコントローラ７０は利用者により選択されたすべての画像ファイルについて記憶媒体への画像データなどの書き込みが終了したか否かを判定し（Ｓ３２）、終了していなければ（Ｓ３２でＮｏ）次の画像ファイルについてステップＳ２５から繰り返す。また、すべての画像ファイルについて書き込みが終了したと判定されたならば（Ｓ３２でＹｅｓ）、更新された記憶媒体用の画像ファイルリストデータなどをＩＰＵ８０に渡し、記憶媒体中の対応する領域のデータを書き替えさせる（Ｓ２９）。同様に、更新されたハードディスク用の画像ファイルリストデータなどをＩＰＵ８０に渡し、ハードディスク装置９４内の対応する領域のデータを書き替えさせる。そして、書き込み処理進行状況の表示を閉じ、他の画面を表示させ（Ｓ３０）、この動作フローを終わりにする。
【００２２】
なお、ステップＳ２３において文書移動キー１１７が選択されなかった場合には、この動作フローを抜け、押下された各キーに対応した処理が行われる。
こうして、この実施の形態によれば、画像ファイル一覧情報（画像ファイルリストデータ）の更新に伴う着脱可能な記憶媒体の書き換え処理を少なくさせ、それによって、記憶媒体の寿命を延ばしたり処理時間を短くしたりすることができるだけでなく、原稿画像のコピーなど優先ジョブなどが発生したとき、複数の画像ファイルの書き込みが終了するまで長い時間待たされることなく直ちに優先ジョブを実行することができる。また、中断時、書き込み中の単位画像は最後まで書き込むので、書き込み制御や装置内部におけるデータ管理が容易になる。また、途中のページまで書き込まれた画像ファイルは無効化されるので、記憶媒体に途中まで書き込まれた画像データなどは書かれなかったものとして扱われるので記憶媒体を有効に用いることができる。なお、途中で中断された画像ファイルの前までに書き込まれた画像ファイル分については無効化されないし、画像ファイルリストデータにも追加されるので、その分の画像ファイルについては再度書き込み（移動処理）を行う必要がない。
以上、ハードディスク装置９４内の画像情報（画像データおよび画像ファイルリストデータなど管理情報）を着脱可能な記憶媒体へ移動する場合を例に説明したが、ハードディスク装置９４内の画像情報を着脱可能な記憶媒体にコピーする場合にも同様にして本発明を実施することができる。
【００２３】
【発明の効果】
以上説明したように、本発明によれば、請求項１記載の発明では、画像記憶手段に記憶された画像情報のなかから着脱可能な記憶媒体へ書き込むべき画像情報が選択され、選択された画像情報の着脱可能な記憶媒体への書き込み処理実行時、１画像情報の書き込み毎に一覧情報記憶手段内の一覧情報が更新され、選択された全ての画像情報の書き込み完了後に一覧情報記憶手段内の一覧情報が記憶媒体に書き込まれるので、一覧情報の更新に伴う着脱可能な記憶媒体の書き換え処理が少なくなり、それによって、記憶媒体の寿命を延ばしたり処理時間を短くしたりすることができる。
また、請求項２記載の発明では、請求項１記載の発明において、書き込み処理の進行状況が表示されるので、記憶媒体の寿命を延ばしたり処理時間を短くしたりすることができるだけでなく、書き込み処理の進行状況がわかるので、複数の画像ファイルの書き込みのために長い時間を要しても、待たされ感を少なくすることができるし、終了時刻を予測することもできる。
また、請求項３記載の発明では、請求項２記載の発明において、進行状況の表示が、選択された全画像情報の量に対する実際に書き込まれた量で表されるので、請求項２記載の効果を容易に実現することができる。
また、請求項４記載の発明では、請求項２記載の発明において、進行状況の表示が、現在書き込み中の画像情報に含まれる単位画像数に対する書き込み済みの単位画像数で表されるので、進行状況が細かなレベルでわかる。
また、請求項５記載の発明では、請求項２記載の発明において、進行状況の表示が、現在書き込み中の画像情報名で示されるので、画像情報名の画像情報の送られる順番を知っている利用者には進行状況が容易にわかるし、実現が容易である。
また、請求項６記載の発明では、請求項１乃至請求項５記載のいずれかの発明において、書き込み処理実行中に書き込み処理の中断を指示することができ、中断が指示されると、そのときに書き込み処理中であった単位画像の書き込み完了後に書き込み処理が中断されるので、書き込み制御や装置内部におけるデータ管理が容易になる。
また、請求項７記載の発明では、請求項６記載の発明において、画像情報に含まれる全ての単位画像の書き込みが完了する前に書き込みが中断された場合、記憶媒体上の書き込み中だった画像ファイルの画像情報が無効化されるので、記憶媒体に途中まで書き込まれた画像データなどが書かれなかったものとして扱われ、したがって、記憶媒体を有効に用いることができる。
また、請求項８記載の発明では、請求項６記載の発明において、書き込み中断前に記憶媒体への書き込みが完了した画像情報については一覧情報が更新され、その一覧情報が記憶媒体へ書き込まれるので、その分の画像ファイルについては再度書き込みを行う必要がなくなる。
【図面の簡単な説明】
【図１】本発明の各実施の形態の画像処理装置の概略図である。
【図２】本発明の各実施の形態の画像処理装置要部の構成図である。
【図３】本発明の各実施の形態の画像処理装置の画面図である。
【図４】本発明の各実施の形態の画像処理装置要部のブロック図である。
【図５】本発明の各実施の形態の画像処理装置要部の他のブロック図である。
【図６】本発明の各実施の形態の画像処理装置要部の他のブロック図である。
【図７】本発明の各実施の形態の画像処理装置要部のタイミングチャートである。
【図８】本発明の各実施の形態の画像処理装置要部の説明図である。
【図９】本発明の各実施の形態の画像処理装置の他の画面図である。
【図１０】本発明の各実施の形態の画像処理装置のブロック図である。
【図１１】本発明の各実施の形態の画像処理装置の他の画面図である。
【図１２】本発明の第２の実施の形態を示す画像処理装置の画面図である。
【図１３】本発明の各実施の形態の画像処理装置の他の画面図である。
【図１４】本発明の各実施の形態の画像処理装置要部のデータ構成図である。
【図１５】本発明の各実施の形態の画像処理装置要部の他のデータ構成図である。
【図１６】本発明の各実施の形態の画像処理装置要部の他のデータ構成図である。
【図１７】本発明の各実施の形態の画像処理装置要部の他のデータ構成図である。
【図１８】本発明の各実施の形態の画像処理装置要部の他のデータ構成図である。
【図１９】本発明の第１の実施の形態を示す画像処理装置の動作フロー図である。
【図２０】本発明の第２の実施の形態を示す画像処理装置の動作フロー図である。
【図２１】本発明の第３の実施の形態を示す画像処理装置の動作フロー図である。
【符号の説明】
２７：書き込みユニット
６０：操作部
６１：液晶タッチパネル
６２：テンキー
６８：コピーキー
６９：コピーサーバーキー
７０：メインコントローラ
７１：ＣＰＵ
７６：文書管理キー
８０：画像処理ユニット
８５：画像メモリコントローラ
８６：画像メモリ
８７：ＣＰＵ
９４：ハードディスク装置
９５：外部画像記憶装置
１１７：文書移動キー
１２４：転送中止キー
【図１】
0003842940.tif 000002
【図２】
0003842940.tif 000003
【図３】
0003842940.tif 000004
【図４】
0003842940.tif 000005
【図５】
0003842940.tif 000006
【図６】
0003842940.tif 000007
【図７】
0003842940.tif 000008
【図８】
0003842940.tif 000009
【図９】
0003842940.tif 000010
【図１０】
0003842940.tif 000011
【図１１】
0003842940.tif 000012
【図１２】
0003842940.tif 000013
【図１３】
0003842940.tif 000014
【図１４】
0003842940.tif 000015
【図１５】
0003842940.tif 000016
【図１６】
0003842940.tif 000017
【図１７】
0003842940.tif 000018
【図１８】
0003842940.tif 000019
【図１９】
0003842940.tif 000020
【図２０】
0003842940.tif 000021
【図２１】
0003842940.tif 000022